(57)【要約】【課題】容易にタブを引き起こすことを可能とする缶蓋を提供する。【解決手段】タブ２００は、スコア１１０によって縁取られた開口予定領域Ｏ内に位置する先端部２２０と、蓋体１００に対して固定されている部位を挟んで先端部２２０とは反対側に位置する後端部２３０と、を有すると共に、蓋体１００とタブ２００との間の隙間内に一部が入り込んだ状態でスライド可能に設けられるスライド部材３００であって、初期位置からスライドされることにより後端部２３０を蓋体表面から離れる方向に移動させる挿入部３１０を有するスライド部材３００が設けられていることを特徴とする。【選択図】図１
2018030590.tif 000002
【特許請求の範囲】
【請求項１】
刻設されたスコアを有する蓋体と、
前記蓋体に対して固定されたタブと、
を備える缶蓋であって、
前記タブは、
前記スコアによって縁取られた開口予定領域内に位置する先端部と、
前記蓋体に対して固定されている部位を挟んで前記先端部とは反対側に位置する後端部と、を有すると共に、
前記蓋体とタブとの間の隙間内に一部が入り込んだ状態でスライド可能に設けられるスライド部材であって、初期位置からスライドされることにより前記後端部を前記蓋体表面から離れる方向に移動させる挿入部を有するスライド部材が設けられていることを特徴とする缶蓋。
【請求項２】
前記蓋体及びタブのうちの少なくともいずれかに、前記スライド部材が初期位置からスライドされる過程で、該スライド部材と摺接する突出部が形成されていることを特徴とする請求項１に記載の缶蓋。
【請求項３】
前記蓋体には前記タブに対向する領域内に、該タブの回転方向の移動を規制する廻り止め突起が形成されており、かつ該廻り止め突起は、前記スライド部材が初期位置からスライドされる過程で、該スライド部材と摺接する突出部により構成されることを特徴とする請求項１に記載の缶蓋。
【請求項４】
前記スライド部材に、該スライド部材が初期位置からスライドされる過程で、前記蓋体またはタブと摺接する突出部が形成されていることを特徴とする請求項１，２または３に記載の缶蓋。
【請求項５】
前記挿入部における前記蓋体側端面からタブ側端面までの距離について、前記挿入部のうちスライド方向の先端側と後端側とを比べると、先端側の方が短いことを特徴とする請求項１〜４のいずれか一つに記載の缶蓋。
【請求項６】
前記スライド部材には、該スライド部材を操作する操作部が設けられていることを特徴とする請求項１〜５のいずれか一つに記載の缶蓋。
【請求項７】
前記操作部は、凸部，凹部，孔、及び滑り止め構造部のうちの少なくともいずれか一つにより構成されていることを特徴とする請求項６に記載の缶蓋。
【発明の詳細な説明】
【技術分野】
【０００１】
本発明は、飲料や食料が収容される缶に備えられる缶蓋に関する。
【背景技術】
【０００２】
飲料や食料が収容される缶に備えられる缶蓋には、蓋体に刻設されたスコアに沿って開口させるためにタブが設けられている。一般的に、タブはリベット部により蓋体に固定されている。このような缶蓋においては、蓋体に開口部を形成させるために、タブの端部側に指を掛けてタブを引き起こす操作が必要となっている。しかしながら、蓋体とタブとの間に隙間がない、または僅かな隙間しかない場合、タブを容易に引き起こせないことがある。
【先行技術文献】
【特許文献】
【０００３】
【特許文献１】特開２００１−３１５７７６号公報
【特許文献２】実開平５−４０１３３号公報
【特許文献３】特開２０１５−４２５６２号公報
【発明の概要】
【発明が解決しようとする課題】
【０００４】
本発明の目的は、容易にタブを引き起こすことを可能とする缶蓋を提供することにある。
【課題を解決するための手段】
【０００５】
本発明は、上記課題を解決するために以下の手段を採用した。
【０００６】
すなわち、本発明の缶蓋は、
刻設されたスコアを有する蓋体と、
前記蓋体に対して固定されたタブと、
を備える缶蓋であって、
前記タブは、
前記スコアによって縁取られた開口予定領域内に位置する先端部と、
前記蓋体に対して固定されている部位を挟んで前記先端部とは反対側に位置する後端部と、を有すると共に、
前記蓋体とタブとの間の隙間内に一部が入り込んだ状態でスライド可能に設けられるスライド部材であって、初期位置からスライドされることにより前記後端部を前記蓋体表面から離れる方向に移動させる挿入部を有するスライド部材が設けられていることを特徴とする。
【０００７】
本発明によれば、スライド部材をスライドさせることによって、タブの後端部を蓋体表面から離れる方向に移動させることができる。これにより、タブの後端部が蓋体表面に接触しているか、接触していなくても僅かな隙間しかない場合に比べて、タブを容易に引き起こすことが可能となる。
【０００８】
前記蓋体及びタブのうちの少なくともいずれかに、前記スライド部材が初期位置からスライドされる過程で、該スライド部材と摺接する突出部が形成されているとよい。
【０００９】
この構成を採用することにより、スライド部材が初期位置からスライドされる過程で、
スライド部材が突出部と摺接することで、タブの後端部を蓋体表面から離れる方向に移動させることが可能となる。
【００１０】
前記蓋体には前記タブに対向する領域内に、該タブの回転方向の移動を規制する廻り止め突起が形成されており、かつ該廻り止め突起は、前記スライド部材が初期位置からスライドされる過程で、該スライド部材と摺接する突出部により構成されるとよい。
【００１１】
これにより、タブの回転方向の移動を規制する廻り止め突起に、タブの後端部を蓋体表面から離れる方向に移動させる機能も持たせることが可能となる。
【００１２】
前記スライド部材に、該スライド部材が初期位置からスライドされる過程で、前記蓋体またはタブと摺接する突出部が形成されているとよい。
【００１３】
このように、スライド部材に突出部を形成させることによっても、タブの後端部を蓋体表面から離れる方向に移動させることが可能となる。
【００１４】
前記挿入部における前記蓋体側端面からタブ側端面までの距離について、前記挿入部のうちスライド方向の先端側と後端側とを比べると、先端側の方が短いとよい。
【００１５】
このような構成を採用することによっても、タブの後端部を蓋体表面から離れる方向に移動させることが可能となる。
【００１６】
前記スライド部材には、該スライド部材を操作する操作部が設けられているとよい。ここで、前記操作部は、凸部，凹部，孔、及び滑り止め構造部のうちの少なくともいずれか一つにより構成されているとよい。
【００１７】
この構成を採用することで、スライド部材をスライドさせる操作も容易になる。
【００１８】
なお、上記各構成は、可能な限り組み合わせて採用し得る。
【発明の効果】
【００１９】
以上説明したように、本発明によれば、容易にタブを引き起こすことができる。
【図面の簡単な説明】
【００２０】
【図１】図１は本発明の実施形態１に係る缶蓋の平面図である。
【図２】図２は本発明の実施形態１に係る蓋体の平面図である。
【図３】図３は本発明の実施形態１に係る蓋体の模式的断面図である。
【図４】図４は本発明の実施形態１に係るタブの平面図である。
【図５】図５は本発明の実施形態１に係るタブの模式的断面図である。
【図６】図６は本発明の実施形態１に係るスライド部材の平面図である。
【図７】図７は本発明の実施形態１に係る缶蓋の模式的断面図である。
【図８】図８は本発明の実施形態１に係るスライド部材を操作したときの様子を示す缶蓋の平面図である。
【図９】図９は本発明の実施形態１に係るスライド部材を操作したときの様子を示す缶蓋の模式的断面図である。
【図１０】図１０は変形例１に係るスライド部材の模式的断面図である。
【図１１】図１１は変形例２に係るスライド部材の外観図である。
【図１２】図１２は変形例３に係るスライド部材の外観図である。
【図１３】図１３は変形例４に係るスライド部材の外観図である。
【図１４】図１４は変形例５に係るスライド部材の外観図である。
【図１５】図１５は本発明の実施形態２に係る缶蓋の平面図である。
【図１６】図１６は本発明の実施形態３に係る缶蓋の平面図である。
【図１７】図１７は本発明の実施形態４に係る缶蓋の平面図である。
【図１８】図１８は本発明の実施形態５に係る缶蓋の平面図である。
【図１９】図１９は本発明の実施形態６に係る缶蓋の平面図及び一部断面図である。
【図２０】図２０は本発明の実施形態７に係る缶蓋の平面図及び一部断面図である。
【図２１】図２１は本発明の実施形態８に係る缶蓋の平面図及び一部側面図である。
【発明を実施するための形態】
【００２１】
以下に図面を参照して、この発明を実施するための形態を、実施形態に基づいて例示的に詳しく説明する。ただし、この実施形態に記載されている構成部品の寸法、材質、形状、その相対配置などは、特定的な記載がない限りは、この発明の範囲をそれらのみに限定する趣旨のものではない。本発明における缶蓋は、飲料や食料が収容される缶に備えられる。飲料缶に備えられる缶蓋の場合には、蓋体の一部のみが開口するパーシャルオープン型の缶蓋が一般的であり、食料缶に備えられる缶蓋の場合には、蓋体の略全域が開口するフルオープン型の缶蓋が一般的である。以下の実施形態においては、飲料缶に備えられるパーシャルオープン型の蓋体を例にして説明する。
【００２２】
（実施形態１）
図１〜図９を参照して、本発明の実施形態１に係る缶蓋について説明する。図１は本発明の実施形態１に係る缶蓋の平面図である。図２は本発明の実施形態１に係る蓋体の平面図である。図３は本発明の実施形態１に係る蓋体の模式的断面図であり、図２中のＡ２−Ａ２断面図である。図４は本発明の実施形態１に係るタブの平面図である。図５は本発明の実施形態１に係るタブの模式的断面図であり、図４中のＡ３−Ａ３断面図である。図６は本発明の実施形態１に係るスライド部材の平面図である。図７は本発明の実施形態１に係る缶蓋の模式的断面図であり、図１中のＡ１−Ａ１断面図である。図８は本発明の実施形態１に係るスライド部材を操作したときの様子を示す缶蓋の平面図である。図９は本発明の実施形態１に係るスライド部材を操作したときの様子を示す缶蓋の模式的断面図であり、図８中のＡ４−Ａ４断面図である。
【００２３】
＜缶蓋の構成＞
特に、図１〜図７を参照して、本実施形態に係る缶蓋１０の構成について説明する。本実施形態に係る缶蓋１０は、蓋体１００と、蓋体１００に固定されるタブ２００と、蓋体１００に取付けられるスライド部材３００とから構成される。なお、缶蓋１０を構成する蓋体１００、タブ２００、及びスライド部材３００は、いずれもアルミニウムなどの金属により構成されている。
【００２４】
蓋体１００は、刻設されたスコア１１０と、タブ２００を固定するための第１リベット部１２０と、一対の突出部１３０とを備えている。図１及び図２中点線で示すように、スコア１１０によって縁取られた領域が開口予定領域Ｏである。また、図２中、××線で示す領域が開口開始領域ＯＳである。この開口開始領域ＯＳは、第１リベット部１２０の近傍に存在している。また、一対の突出部１３０は、略円錐の形状を有しており、タブ２００に対向する領域内に形成されており、タブ２００の回転方向の移動を規制する廻り止め突起としての役割を担っている。更に、蓋体１００には、スライド部材３００を回動可能に軸支する第２リベット部１４０も設けられている。なお、この第２リベット部１４０は、蓋体１００にリベット加工を施す方法以外にも、第２リベット部１４０となる部材を接着して設けることもできる。
【００２５】
タブ２００は、第１リベット部１２０により固定されるための貫通孔２１０と、貫通孔２１０を挟んで一方側の先端部２２０と、その反対側の後端部２３０とを有している。ま
た、タブ２００には、タブ２００を引き起こす際にタブ２００が変形し易いように、Ｕ字状孔２４０も設けられている。更に、タブ２００には、指を引っ掛けることができる指掛かりリング２５０も設けられている。タブ２００が蓋体１００に固定された状態においては、タブ２００の先端部２２０は、蓋体１００における開口予定領域Ｏ内に位置する。また、タブ２００の後端部２３０は、タブ２００が蓋体１００に対して固定されている部位（第１リベット部１２０が設けられた部位）を挟んで先端部２２０とは反対側に位置する。開口予定領域Ｏを開口させる場合には、通常、ユーザーは、後端部２３０、または指掛かりリング２５０に指を掛けてタブ２００を引き起こす。
【００２６】
スライド部材３００は、タブ２００の後端部２３０を蓋体１００の表面から離れる方向に移動させる挿入部３１０と、蓋体１００に設けられた第２リベット部１４０に軸支されるための貫通孔３２０を備えている。挿入部３１０は、タブ側の端縁の厚みが、蓋体１００とタブ２００の間に差し込み可能な厚みとなっており、また、蓋体１００に取付けられたスライド部材３００は、第２リベット部１４０を中心に回動させることができる。これにより、図１中、スライド部材３００を時計回り方向に回転させると、蓋体１００とタブ２００との間の隙間内にスライド部材３００の一部（挿入部３１０）が入り込んだ状態で、スライド部材３００をスライド（回転）させることができる。
【００２７】
＜スライド部材のスライド＞
特に、図８及び図９を参照して、スライド部材３００をスライドさせることによるタブの動作について説明する。図８は、スライド部材３００を図１に示す初期位置から時計回り方向に所定角度だけ回転させた状態を示す缶蓋の平面図である。また、図９は、図８におけるＡ４−Ａ４断面図である。本実施形態においては、スライド部材３００が初期位置に位置している状態では、蓋体１００とタブ２００との間の隙間内に挿入部３１０は入り込んでいない（図１参照）。そして、スライド部材３００を回転（スライド）させることで、蓋体１００とタブ２００との間の隙間内に挿入部３１０が入り込むように構成されている。
【００２８】
スライド部材３００が回転（スライド）される過程で、挿入部３１０が蓋体１００とタブ２００との間の隙間内に入り込んだ後に、挿入部３１０は突出部１３０に接触し、その後、突出部１３０の上に乗り上がった状態となる。なお、本実施形態においては、図２に示す一対の突出部１３０のうち、図中左側の突出部１３０の上に挿入部３１０が乗り上がるように構成されている。このように、挿入部３１０が突出部１３０の上に乗り上がって摺接することで、第１リベット部１２０を支点として、後端部２３０が蓋体１００の表面から離れる方向に移動する。これにより、後端部２３０と蓋体１００との間に隙間が形成される（図９参照）。
【００２９】
＜本実施形態に係る缶蓋の優れた点＞
以上説明したように、本実施形態に係る缶蓋１０によれば、スライド部材３００を初期位置からスライドさせることによって、タブ２００の後端部２３０を蓋体１００の表面から離れる方向に移動させることができる。従って、後端部２３０と蓋体１００との間に形成された隙間に手指を差し込むことによって、容易にタブ２００を引き起こすことができる。また、本実施形態においては、タブ２００の回転方向の移動を規制する廻り止め突起としての突出部１３０にスライド部材３００を乗り上げさせることで、タブ２００の後端部を蓋体表面からより離れる方向に移動させることを可能としている。
【００３０】
＜その他＞
上記実施形態においては、スライド部材３００が初期位置からスライドされる過程で、スライド部材３００と摺接する突出部（突出部１３０）が、蓋体１００に形成されている場合を示した。しかしながら、本発明においては、スライド部材が初期位置からスライド
される過程で、スライド部材と摺接する突出部がタブに設けられていても良い。例えば、上記実施形態で示した構成において、タブ２００に蓋体１００側に向かって突出する突出部を設けても良い。すなわち、スライド部材３００が初期位置から回転（スライド）される過程で、挿入部３１０が蓋体１００とタブ２００との間の隙間内に入り込んだ後に、挿入部３１０がタブ２００に設けられた突出部（不図示）と蓋体１００との間に入り込むように当該突出部を設ければよい。これにより、上記実施形態の場合と同様に、スライド部材３００をスライドさせることで、第１リベット部１２０を支点として、タブ２００の後端部２３０を蓋体１００の表面から離れる方向に移動させることができることは言うまでもない。
【００３１】
また、本発明においては、スライド部材に、当該スライド部材が初期位置からスライドされる過程で、蓋体またはタブと摺接する突出部を設ける構成を採用することもできる。例えば、上記実施形態において、スライド部材３００の挿入部３１０に、図６に示すように、突出部３１０Ｘを設けることができる。なお、この突出部３１０Ｘは挿入部３１０の両面のうちの少なくともいずれか一方に設ければよい。このような構成を採用すれば、スライド部材３００が初期位置から回転（スライド）される過程で、挿入部３１０が蓋体１００とタブ２００との間の隙間内に入り込み、突出部３１０Ｘが蓋体１００またはタブ２００と摺接することになる。挿入部３１０の両面に突出部３１０Ｘを設けた場合には、各突出部３１０Ｘが蓋体１００とタブ２００の両者にそれぞれと摺接することになる。これにより、上記実施形態の場合と同様に、スライド部材３００をスライドさせることで、第１リベット部１２０を支点として、タブ２００の後端部２３０を蓋体１００の表面から離れる方向に移動させることができることは言うまでもない。
【００３２】
なお、上述した実施形態の場合には、初期状態ではスライド部材３００の挿入部３１０は、蓋体１００とタブ２００との間の隙間内に入り込んでいない。従って、スライド部材３００がスライドする過程で、挿入部３１０が蓋体１００とタブ２００との間の隙間内に入り込むことで、第１リベット部１２０を支点として、タブ２００の後端部２３０を蓋体１００の表面から離れる方向に、ある程度移動させることは可能である。ただし、タブ２００の後端部２３０と蓋体１００の表面との間に形成させる隙間を極力大きくするために、突出部を設けるのが望ましい。そして、この突出部は、上記の通り、蓋体１００とタブ２００とスライド部材３００のいずれかに設ければよい。なお、突出部は、蓋体１００とタブ２００とスライド部材３００のいずれか一つに設ければよいが、二つ以上に対して設けてもよい。また、タブ２００に指掛かりリング２３０を形成せずに把持面とする場合には、その全体を突出部とする、又はその一部に蓋体１００側に向かって突出する突出部を設けてもよい。さらに、スライド部材の取り付け方法としては、上述のように第２リベット１４０によるものの他、接着固定など、様々な方法によることができる。
【００３３】
＜スライド部材の変形例＞
以下、上述した実施形態に係る缶蓋に適用可能なスライド部材の変形例について、いくつか説明する。
【００３４】
（変形例１）
図１０を参照して、変形例１に係るスライド部材について説明する。なお、図１０は変形例１に係るスライド部材の模式的断面図であり、図６において、突出部３１０Ｘが設けられない場合における図のＢ−Ｂ断面に相当する断面図である。この変形例１に係るスライド部材においては、挿入部３１０の厚み方向の高さが、図中、右側に比べて左側が高くなるように、先端側に向かって先細りするように構成されている（図中Ｈ１＜Ｈ２参照）。このような構成を採用することによって、スライド部材をスライドさせる過程で、蓋体１００とタブ２００との間の隙間内に挿入部３１０を進入させ易くすることができ、かつタブ２００の後端部２３０を、蓋体１００の表面から離れる方向に徐々に移動させること
ができる。
【００３５】
なお、本変形例においては、挿入部３１０の外縁（先端側）に折り曲げ加工を施すことによって、上述のように先細りする構成を実現している。しかしながら、挿入部３１０を構成するアルミニウムなどの金属板の肉厚自体を変化させることにより、上記のような先細りする構成とすることもできる。また、本変形例では、図１０中、上側に傾斜面を設けることによって、挿入部３１０における蓋体側端面からタブ側端面までの距離が徐々に変化する場合の構成を示している。しかしながら、階段状の段差を設けることによって、挿入部における蓋体側端面からタブ側端面までの距離が段階的に変化するように構成することもできる。
【００３６】
本変形例に係るスライド部材を採用すれば、スライド部材をスライドさせることで、後端部２３０と蓋体１００との間に大きな隙間を形成させることができる。従って、上述した突出部（突出部１３０等）を設ける必要がなくなる。ただし、本変形例に係るスライド部材と突出部とを併用してもよいことは言うまでもない。
【００３７】
（変形例２）
図１１を参照して、変形例２に係るスライド部材について説明する。図１１は変形例２に係るスライド部材の外観図である。なお、図１１中、左側にはスライド部材の平面図を示し、右側には、平面図において図中矢印方向にスライド部材を見た図を示している。
【００３８】
本変形例に係るスライド部材３００Ａにおいては、スライド部材３００Ａを操作する操作部としての凸部３３０が設けられている。このように、凸部３３０を設けることで、凸部３３０に指を引っ掛けることができるため、スライド部材３００Ａを容易にスライドさせることが可能となる。
【００３９】
（変形例３）
図１２を参照して、変形例３に係るスライド部材について説明する。図１２は変形例３に係るスライド部材の外観図である。なお、図１２中、左側にはスライド部材の平面図を示し、右側には、平面図において図中矢印方向にスライド部材を見た図を示している。
【００４０】
本変形例に係るスライド部材３００Ｂにおいては、スライド部材３００Ｂを操作する操作部としての凹部３４０が設けられている。このように、凹部３４０を設けることで、凹部３４０に指を引っ掛けることができるため、スライド部材３００Ｂを容易にスライドさせることが可能となる。
【００４１】
（変形例４）
図１３を参照して、変形例４に係るスライド部材について説明する。図１３は変形例４に係るスライド部材の外観図（平面図）である。
【００４２】
本変形例に係るスライド部材３００Ｃにおいては、スライド部材３００Ｃを操作する操作部としての孔３５０が設けられている。このように、孔３５０を設けることで、孔３５０に指を引っ掛けることができるため、スライド部材３００Ｃを容易にスライドさせることが可能となる。
【００４３】
（変形例５）
図１４を参照して、変形例５に係るスライド部材について説明する。図１４は変形例５に係るスライド部材の外観図（平面図）である。
【００４４】
本変形例に係るスライド部材３００Ｄにおいては、スライド部材３００Ｄを操作する操
作部としての滑り止め構造部３６０が設けられている。滑り止め構造部３６０においては、指を滑り難くするために、摩擦抵抗が大きくなる構造が採用されている。このように、滑り止め構造部３６０を設けることで、指が滑り難いため、スライド部材３００Ｄを容易にスライドさせることが可能となる。なお、滑り止め構造部３６０の一例として、金属製のスライド部材３００Ｄの表面にブラスト処理を施すことにより、微小な凹凸を設ける構成を採用し得る。
【００４５】
なお、操作部の具体例として、凸部（変形例２）、凹部（変形例３）、孔（変形例４）、滑り止め構造部（変形例５）をそれぞれ示した。しかしながら、操作部については、凸部，凹部，孔、及び滑り止め構造部のうちの少なくともいずれか一つにより構成されていればよい。従って、操作部については、適宜、これらを二つ以上組み合わせて構成してもよい。
【００４６】
以下、実施形態２〜８に、スライド部材の構成が上記実施形態とは異なる場合の構成を示す。その他の蓋体及びタブの構成および作用については実施形態１と略同一なので、同一の構成部分については同一の符号を付して、その説明は省略する。
【００４７】
（実施形態２）
図１５は本発明の実施形態２に係る缶蓋の平面図である。図１５においては、蓋体とタブについては、主要な構成のみを簡略的に示している。また、図１５においては、スライド部材３００Ｅが初期位置に位置している状態を示している。
【００４８】
図示のように、本実施形態に係る缶蓋１０においても、蓋体１００と、蓋体１００に固定されるタブ２００と、蓋体１００に取付けられるスライド部材３００Ｅとから構成される。また、本実施形態に係るスライド部材３００Ｅにおいても、蓋体１００に設けられた第２リベット部１４０Ｅによって回動自在に軸支されている。ただし、第２リベット部１４０Ｅの位置は、上記実施形態１の場合とは異なっている。
【００４９】
そして、本実施形態に係るスライド部材３００Ｅの場合には、初期位置において、蓋体１００とタブ２００との間の隙間内に入り込むように構成されている。また、本実施形態に係るスライド部材３００Ｅは、矩形状の板状部材により構成されており、かつ一端側が第２リベット部１４０Ｅにより回動自在に軸支され、他端側には操作部としての凸部３３０Ｅが形成されている。そして、この凸部３３０Ｅの近傍の部位が挿入部３１０Ｅとしての役割を担っている。
【００５０】
以上のように構成される本実施形態に係る缶蓋１０においても、スライド部材３００Ｅを図中矢印Ｒ方向に回転（スライド）させることで、挿入部３１０Ｅが蓋体１００に設けられた突出部１３０Ｅに接触し、その後、突出部１３０Ｅの上に乗り上って摺接する。従って、第１リベット部１２０を支点として、タブ２００の後端部２３０が蓋体１００の表面から離れる方向に移動する。これにより、実施形態１の場合と同様に、後端部２３０と蓋体１００との間に隙間が形成される。
【００５１】
以上のように、本実施形態においても、上記実施形態１の場合と同様の効果を得ることができる。また、本実施形態においても、突出部１３０Ｅとして、タブ２００の回転方向の移動を規制する廻り止め突起としての突出部を利用することができる。また、本実施形態においても、上記実施形態１で説明したように、突出部を蓋体１００ではなくタブ２００に設けることも可能である。また、挿入部３１０Ｅの構成として、図１０に示した変形例１のように、挿入部３１０Ｅの厚み方向の高さがスライド方向の先端側と後端側とで異なるようにすることもできる。更に、本実施形態の場合には、操作部としての凸部３３０Ｅを設ける場合を示したが、操作部については、上記変形例３〜５に示したように、各種
の構成を採用することができる。
【００５２】
なお、本実施形態で示したスライド部材３００Ｅは、タブ２００における指掛かりリング２５０の外側かつ図中右側で、第２リベット部１４０Ｅによって、回動自在に軸支される場合を示した。しかしながら、スライド部材３００Ｅを回動自在に軸支させる位置は、これに限られることはない。例えば、指掛かりリング２５０内に配置してもよいし、指掛かりリング２５０の外側かつ図中上側に配置させることもできる。また、スライド部材３００Ｅを初期位置からスライド（回転）させる方向についても特に限定されるものではない。
【００５３】
（実施形態３）
図１６には、本発明の実施形態３が示されている。図１６は本発明の実施形態３に係る缶蓋の平面図である。図１６においては、蓋体とタブについては、主要な構成のみを簡略的に示している。また、図１６においては、スライド部材３００Ｆが初期位置に位置している状態を示している。
【００５４】
図示のように、本実施形態に係る缶蓋１０においても、蓋体１００と、蓋体１００に固定されるタブ２００と、蓋体１００に取付けられるスライド部材３００Ｆとから構成される。また、本実施形態に係るスライド部材３００Ｆは、タブ２００を固定するための第１リベット部１２０によって、回動自在に軸支されている。つまり、第１リベット部１２０は、タブ２００を固定する役割と、スライド部材３００Ｆを回動自在に軸支する役割とを担っている。
【００５５】
そして、本実施形態に係るスライド部材３００Ｆの場合には、初期位置においては、実施形態１の場合と同様に、蓋体１００とタブ２００との間の隙間内には入り込んでいない。また、本実施形態に係るスライド部材３００Ｆは、略扇形の板状部材により構成されており、回転（スライド）させる方向の先端側には挿入部３１０Ｆが設けられ、後端側には、操作部としての凸部３３０Ｆが形成されている。
【００５６】
以上のように構成される本実施形態に係る缶蓋１０においても、スライド部材３００Ｆを図中矢印Ｒ方向に回転（スライド）させることで、挿入部３１０Ｆが蓋体１００とタブ２００との間の隙間内に入り込んだ後に、突出部１３０Ｆに接触し、その後、突出部１３０Ｆの上に乗り上がって摺接する。従って、第１リベット部１２０を支点として、タブ２００の後端部２３０が蓋体１００の表面から離れる方向に移動する。これにより、実施形態１の場合と同様に、後端部２３０と蓋体１００との間に隙間が形成される。
【００５７】
以上のように、本実施形態においても、上記実施形態１の場合と同様の効果を得ることができる。また、本実施形態においても、突出部１３０Ｆとして、タブ２００の回転方向の移動を規制する廻り止め突起としての突出部を利用することができる。また、本実施形態においても、上記実施形態１で説明したように、突出部を蓋体１００ではなくタブ２００またはスライド部材３００Ｆに設けることも可能である。また、挿入部３１０Ｆの構成として、図１０に示した変形例１のように、挿入部３１０Ｆの厚み方向の高さがスライド方向の先端側と後端側とで異なるようにすることもできる。更に、本実施形態の場合には、操作部としての凸部３３０Ｆを設ける場合を示したが、操作部については、上記変形例３〜５に示したように、各種の構成を採用することができる。
【００５８】
（実施形態４）
図１７には、本発明の実施形態４が示されている。図１７は本発明の実施形態４に係る缶蓋の平面図である。なお、平面図の左側にスライド部材付近の断面図も示している。図１７においては、蓋体とタブについては、主要な構成のみを簡略的に示している。また、
図１７においては、スライド部材３００Ｇが初期位置に位置している状態を示している。
【００５９】
図示のように、本実施形態に係る缶蓋１０においても、蓋体１００と、蓋体１００に固定されるタブ２００と、スライド部材３００Ｇとから構成される。本実施形態に係るスライド部材３００Ｇは、矩形状の板状部材から構成され、スライド方向（図中、矢印Ｓ方向）に垂直な方向の両端部に、折り曲げ加工部３７１Ｇ，３７２Ｇが設けられている。また、タブ２００には、指掛かりリング２５０を介して両側の直線状部分２５１，２５２にカール加工が施されている。そして、スライド部材３００Ｇは、上記の折り曲げ加工部３７１Ｇ，３７２Ｇがタブ２００におけるカール加工が施された直線状部分２５１，２５２に差し込まれるようにして取り付けられている。従って、本実施形態の場合には、上記各実施形態の場合とは異なり、スライド部材を回動自在に軸支するためのリベットは設けられてはいない。
【００６０】
また、本実施形態に係るスライド部材３００Ｇは、その中央に凸部３３０Ｇが設けられている。そして、スライド部材３００Ｇは蓋体１００とタブ２００との間の隙間内に配置される。このとき、タブ２００の裏面側（蓋体１００側）から表面側に向けて、凸部３３０Ｇが指掛かりリング２５０から突出するように配置される。また、この凸部３３０Ｇの両側近傍の部位が、それぞれ挿入部３１０Ｇとしての役割を担っている。
【００６１】
以上のように構成される本実施形態に係る缶蓋１０においても、スライド部材３００Ｇを図中矢印Ｓ方向にスライドさせることで、一対の挿入部３１０Ｇが蓋体１００に設けられた一対の突出部１３０Ｇにそれぞれ接触し、その後、これらの突出部１３０Ｇの上に乗り上がって摺接する。従って、第１リベット部１２０を支点として、タブ２００の後端部２３０が蓋体１００の表面から離れる方向に移動する。これにより、実施形態１の場合と同様に、後端部２３０と蓋体１００との間に隙間が形成される。なお、本実施形態においては、スライド部材３００Ｇにおける凸部３３０の両端が、タブ２００に設けられた指掛かりリング２５０の両側面にガイドされることにより、スライド部材３００Ｇのスライド方向が案内される。
【００６２】
以上のように、本実施形態においても、上記実施形態１の場合と同様の効果を得ることができる。また、本実施形態においても、突出部１３０Ｇとして、タブ２００の回転方向の移動を規制する廻り止め突起としての突出部を利用することができる。また、本実施形態においても、上記実施形態１で説明したように、突出部を蓋体１００ではなくタブ２００に設けることも可能である。更に、挿入部３１０Ｇの構成として、図１０に示した変形例１のように、挿入部３１０Ｇの厚み方向の高さがスライド方向の先端側と後端側とで異なるようにすることもできる。
【００６３】
なお、本実施形態においては、スライド部材３００Ｇを図中上下方向にスライド可能に構成する場合を示したが、図中、左右方向にスライド可能に構成することもできる。この場合においても、スライド部材３００Ｇが初期位置からスライドさせる過程で、スライド部材３００Ｇに摺接する突出部を蓋体１００かタブ２００に設ければよい。また、本実施形態においては、スライド部材３００Ｇを初期位置から図中下方向にスライドさせる場合の構成を示したが、スライド部材３００Ｇを初期位置から図中上方向にスライドさせるように構成してもよい。勿論、この場合には、突出部をスライド部材３００Ｇに対して、図中上側に設ける必要があることは言うまでもない。
【００６４】
（実施形態５）
図１８には、本発明の実施形態５が示されている。図１８は本発明の実施形態５に係る缶蓋の平面図である。図１８においては、蓋体とタブについては、主要な構成のみを簡略的に示している。また、図１８においては、スライド部材３００Ｈが初期位置に位置して
いる状態を示している。
【００６５】
図示のように、本実施形態に係る缶蓋１０においても、蓋体１００と、蓋体１００に固定されるタブ２００と、スライド部材３００Ｈとから構成される。本実施形態に係るスライド部材３００Ｈには、操作部としての一対の凸部３３０Ｈが設けられている。これら一対の凸部３３０Ｈは、タブ２００の両側付近にそれぞれ位置するように構成されている。また、蓋体１００には、スライド部材３００Ｈのスライド方向を案内するための一対のガイド凸部１５０が設けられている。本実施形態の場合にも、上記実施形態４の場合と同様に、スライド部材を回動自在に軸支するためのリベットは設けられてはいない。
【００６６】
本実施形態に係るスライド部材３００Ｈは、略矩形状の板状部材により構成されており、その両端付近にそれぞれ上記の凸部３３０Ｈが設けられている。そして、スライド部材３００Ｈは蓋体１００とタブ２００との間の隙間内に配置される。このとき、スライド部材３００Ｈの両端が、一対のガイド凸部１５０に挟まれた状態となるように配置される。また、スライド部材３００Ｈのうち、初期状態において、蓋体１００とタブ２００の間に挟まれる部位が挿入部３１０Ｈとしての役割を担っている。従って、挿入部３１０Ｈは一対設けられている。
【００６７】
以上のように構成される本実施形態に係る缶蓋１０においても、スライド部材３００Ｈを図中矢印Ｓ方向にスライドさせることで、一対の挿入部３１０Ｈが蓋体１００に設けられた一対の突出部１３０Ｈに接触し、その後、これらの突出部１３０Ｈの上に乗り上がって摺接する。従って、第１リベット部１２０を支点として、タブ２００の後端部２３０が蓋体１００の表面から離れる方向に移動する。これにより、実施形態１の場合と同様に、後端部２３０と蓋体１００との間に隙間が形成される。なお、本実施形態においては、スライド部材３００Ｈの両端が、蓋体１００に設けられた一対のガイド凸部１５０にガイドされることにより、スライド部材３００Ｈのスライド方向が案内される。
【００６８】
以上のように、本実施形態においても、上記実施形態１の場合と同様の効果を得ることができる。また、本実施形態においても、突出部１３０Ｈとして、タブ２００の回転方向の移動を規制する廻り止め突起としての突出部を利用することができる。また、本実施形態においても、上記実施形態１で説明したように、突出部を蓋体１００ではなくタブ２００に設けることも可能である。また、挿入部３１０Ｈの構成として、図１０に示した変形例１のように、挿入部３１０Ｈの厚み方向の高さがスライド方向の先端側と後端側とで異なるようにすることもできる。また、本実施形態の場合には、操作部としての凸部３３０Ｈを設ける場合を示したが、操作部については、上記変形例３〜５に示したように、各種の構成を採用することができる。更に、本実施形態においては、スライド部材３００Ｈは、初期状態において、蓋体１００とタブ２００との間の隙間内に配置される場合の構成を説明した。しかしながら、初期状態においては、スライド部材３００Ｈをタブ２００の外側（図中上側）に配置させており、スライド部材３００Ｈをスライドさせる過程で、スライド部材３００Ｈが、蓋体１００とタブ２００との間の隙間内に進入するように構成させることも可能である。
【００６９】
（実施形態６）
図１９には、本発明の実施形態６が示されている。図１９は本発明の実施形態６に係る缶蓋の平面図である。なお、平面図の右側にスライド部材付近の断面図と、側面図も示している。図１９においては、蓋体とタブについては、主要な構成のみを簡略的に示している。また、図１９においては、スライド部材３００Ｉが初期位置に位置している状態を示している。
【００７０】
図示のように、本実施形態に係る缶蓋１０においても、蓋体１００と、蓋体１００に固
定されるタブ２００と、スライド部材３００Ｉとから構成される。本実施形態の場合にも、上記実施形態４及び５の場合と同様に、スライド部材を回動自在に軸支するためのリベットは設けられてはいない。
【００７１】
本実施形態に係るスライド部材３００Ｉは、タブ２００に対して、指掛かりリング２５０を介して両側の直線状部分のうちの一方の直線状部分２５１を覆い囲むように取り付けられている。なお、スライド部材３００Ｉは、矩形状の板状部材から構成され、当該板状部材に折り曲げ加工を施すことにより、直線状部分２５１に取付けられている。本実施形態においては、板状部材の両端の先端同士が接触するように折り曲げ加工が施されている場合を示しているが、これらの先端同士の間に隙間が形成されてもよい。また、本実施形態においては、スライド部材３００Ｉが、タブ２００の表面側から裏面側（蓋体１００側）に向かって折り曲げ加工が施される場合を示しているが、裏面側から表面側に向かって折り曲げ加工を施しても良い。以上の構成により、スライド部材３００Ｉを直線状部分２５１に沿ってスライドさせることが可能となる。
【００７２】
本実施形態においては、スライド部材３００Ｉのうち、蓋体１００とタブ２００の間に挟まれる部位が挿入部３１０Ｉとしての役割を担っている。
【００７３】
以上のように構成される本実施形態に係る缶蓋１０においても、スライド部材３００Ｉを図中矢印Ｓ方向にスライドさせることで、挿入部３１０Ｉが蓋体１００に設けられた突出部１３０Ｉに接触し、その後、突出部１３０Ｉの上に乗り上がって摺接する。従って、第１リベット部１２０を支点として、タブ２００の後端部２３０が蓋体１００の表面から離れる方向に移動する。これにより、実施形態１の場合と同様に、後端部２３０と蓋体１００との間に隙間が形成される。
【００７４】
以上のように、本実施形態においても、上記実施形態１の場合と同様の効果を得ることができる。また、本実施形態においても、突出部１３０Ｉとして、タブ２００の回転方向の移動を規制する廻り止め突起としての突出部を利用することができる。なお、本実施形態においては、スライド部材３００Ｉの移動可能範囲が狭いため、突出部１３０Ｉへの乗り上げをより確実にさせるために、右下に示した側面図のように、突出部１３０Ｉに向かって伸びる板状部３８０Ｉを設けると好適である。また、本実施形態においては、スライド部材３００Ｉが取り付けられる部分は、直線状に伸びる直線状部分２５１の場合を説明した。しかしながら、タブによっては、指掛かりリングの両側が、曲線状に伸びるように構成される場合がある。この場合でも、曲線状に伸びる部分の幅が一定であれば、本実施形態と同様のスライド部材を適用しても、スライド移動させることは可能であるので、本実施形態と同様の構成を採用し得る。
【００７５】
（実施形態７）
図２０には、本発明の実施形態７が示されている。図２０は本発明の実施形態７に係る缶蓋の平面図である。なお、平面図の右側にスライド部材付近の断面図も示している。図２０においては、蓋体とタブについては、主要な構成のみを簡略的に示している。また、図２０においては、スライド部材３００Ｊが初期位置に位置している状態を示している。
【００７６】
図示のように、本実施形態に係る缶蓋１０においても、蓋体１００と、蓋体１００に固定されるタブ２００と、スライド部材３００Ｊとから構成される。本実施形態の場合にも、上記実施形態４〜６の場合と同様に、スライド部材を回動自在に軸支するためのリベットは設けられてはいない。
【００７７】
本実施形態に係るスライド部材３００Ｊは、タブ２００に対して、タブ２００の両側の直線状部分２５１，２５２の両者を覆い囲むように取り付けられている。なお、スライド
部材３００Ｊは、矩形状の板状部材から構成され、当該板状部材に折り曲げ加工を施すことにより、タブ２００に取付けられている。本実施形態においては、板状部材の両端の先端同士の間に隙間が形成されるように折り曲げ加工が施されている場合を示しているが、これらの先端同士を接触させてもよい。また、本実施形態においては、スライド部材３００Ｊが、タブ２００の表面側から裏面側（蓋体１００側）に向かって折り曲げ加工が施される場合を示しているが、裏面側から表面側に向かって折り曲げ加工を施しても良い。以上の構成により、スライド部材３００Ｊをタブ２００に沿ってスライドさせることが可能となる。
【００７８】
本実施形態においては、スライド部材３００Ｊのうち、蓋体１００とタブ２００の間に挟まれる部位が挿入部３１０Ｊとしての役割を担っている。
【００７９】
以上のように構成される本実施形態に係る缶蓋１０においても、スライド部材３００Ｊを図中矢印Ｓ方向にスライドさせることで、挿入部３１０Ｊが蓋体１００に設けられた突出部１３０Ｊに接触し、その後、突出部１３０Ｊの上に乗り上がって摺接する。従って、第１リベット部１２０を支点として、タブ２００の後端部２３０が蓋体１００の表面から離れる方向に移動する。これにより、実施形態１の場合と同様に、後端部２３０と蓋体１００との間に隙間が形成される。
【００８０】
以上のように、本実施形態においても、上記実施形態１の場合と同様の効果を得ることができる。また、本実施形態においても、突出部１３０Ｊとして、タブ２００の回転方向の移動を規制する廻り止め突起としての突出部を利用することができる。なお、本実施形態においても、上記実施形態６の場合と同様に、突出部１３０Ｊへの乗り上げをより確実にさせるために、突出部１３０Ｊに向かって伸びる板状部を設けてもよい。
【００８１】
（実施形態８）
図２１には、本発明の実施形態８が示されている。図２１は本発明の実施形態８に係る缶蓋の平面図である。なお、平面図の下側にはスライド部材付近の側面図（平面図において左側から見た図）も示している。図２１においては、蓋体とタブについては、主要な構成のみを簡略的に示している。また、図２１においては、スライド部材３００Ｋが初期位置に位置している状態を示している。
【００８２】
図示のように、本実施形態に係る缶蓋１０においても、蓋体１００と、蓋体１００に固定されるタブ２００と、スライド部材３００Ｋとから構成される。
【００８３】
本実施形態に係るスライド部材３００Ｋは、タブ２００に対して、回動自在に設けられている。より具体的には、本実施形態に係るスライド部材３００Ｋは、タブ２００に設けられた貫通孔２６０に挿通される軸部３７０Ｋと、軸部３７０Ｋの一端側に固定される挿入部３１０Ｋと、軸部３７０Ｋの他端側に固定されるツマミ部３８０Ｋとから構成されている。以上の構成により、ツマミ部３８０Ｋを矢印Ｒ方向に回転させることにより、挿入部３１０Ｋを回転（スライド）させることが可能となる。
【００８４】
以上のように構成される本実施形態に係る缶蓋１０においても、ツマミ部３８０Ｋを回転させることにより、挿入部３１０Ｋをスライドさせることで、挿入部３１０Ｋが蓋体１００に設けられた突出部１３０Ｋに接触し、その後、突出部１３０Ｋの上に乗り上がって摺接する。従って、第１リベット部１２０を支点として、タブ２００の後端部２３０が蓋体１００の表面から離れる方向に移動する。これにより、実施形態１の場合と同様に、後端部２３０と蓋体１００との間に隙間が形成される。
【００８５】
以上のように、本実施形態においても、上記実施形態１の場合と同様の効果を得ること
ができる。また、本実施形態においても、上記実施形態１で説明したように、突出部を蓋体１００ではなくタブ２００に設けることも可能である。更に、挿入部３１０Ｋの構成として、図１０に示した変形例１のように、挿入部３１０Ｋの厚み方向の高さがスライド方向の先端側と後端側とで異なるようにすることもできる。
【００８６】
（その他）
以上の実施形態においては、飲料缶に備えられるパーシャルオープン型の缶蓋を例にして説明した。しかしながら、本発明における缶蓋は、食料缶等に備えられるフルオープン型の缶蓋にも適用可能である。
【符号の説明】
【００８７】
１０  缶蓋
１００  蓋体
１１０  スコア
１２０  第１リベット部
１３０，１３０Ｅ，１３０Ｆ，１３０Ｇ，１３０Ｈ，１３０Ｉ，１３０Ｊ，１３０Ｋ  突出部
１４０，１４０Ｅ  第２リベット部
１５０  ガイド凸部
２００  タブ
２１０  貫通孔
２２０  先端部
２３０  後端部
２４０  Ｕ字状孔
２５０  指掛かりリング
２５１，２５２  直線状部分
２６０  貫通孔
３００，３００Ａ，３００Ｂ，３００Ｃ，３００Ｄ，３００Ｅ，３００Ｆ，３００Ｇ，３００Ｈ，３００Ｉ，３００Ｊ，３００Ｋ  スライド部材
３１０，３１０Ｅ，３１０Ｆ，３１０Ｇ，３１０Ｈ，３１０Ｉ，３１０Ｊ，３１０Ｋ  挿入部
３１０Ｘ  突出部
３２０  貫通孔
３３０，３３０Ｅ，３３０Ｆ，３３０Ｇ，３３０Ｈ  凸部
３４０  凹部
３５０  孔
３６０  滑り止め構造部
３７１Ｇ，３７２Ｇ  折り曲げ加工部
３７０Ｋ  軸部
３８０Ｉ  板状部
３８０Ｋ  ツマミ部
Ｏ  開口予定領域
ＯＳ  開口開始領域
【図１】
2018030590.tif 000003
【図２】
2018030590.tif 000004
【図３】
2018030590.tif 000005
【図４】
2018030590.tif 000006
【図５】
2018030590.tif 000007
【図６】
2018030590.tif 000008
【図７】
2018030590.tif 000009
【図８】
2018030590.tif 000010
【図９】
2018030590.tif 000011
【図１０】
2018030590.tif 000012
【図１１】
2018030590.tif 000013
【図１２】
2018030590.tif 000014
【図１３】
2018030590.tif 000015
【図１４】
2018030590.tif 000016
【図１５】
2018030590.tif 000017
【図１６】
2018030590.tif 000018
【図１７】
2018030590.tif 000019
【図１８】
2018030590.tif 000020
【図１９】
2018030590.tif 000021
【図２０】
2018030590.tif 000022
【図２１】
2018030590.tif 000023